(57)【要約】【課題】製造効率が良好であり、取り付け対象のヘルメット本体の形状や材質に制限されず、良好な視認性を付与することのできる発光体付きヘルメットを提供する。【解決手段】発光体付きヘルメットは、ヘルメット本体と、ヘルメット本体の外周部に沿うように設けられ、細長状に形成された可撓性の発光体と、を備える。【選択図】図１
2009013538.tif 000002
【特許請求の範囲】
【請求項１】
ヘルメット本体と、
上記ヘルメット本体の外周部に沿うように設けられ、細長状に形成された可撓性の発光体と、
を備えたことを特徴とする発光体付きヘルメット。
【請求項２】
請求項１に記載された発光体付きヘルメットにおいて、
上記ヘルメット本体は、その外周部に、二箇所の嵌め込み部と、少なくとも一箇所の支持部とがそれぞれ設けられていると共に、
上記発光体は、その両端部がそれぞれ上記嵌め込み部に嵌め込まれ、且つ、上記支持部でその中央部が支持されている発光体付きヘルメット。
【請求項３】
請求項１に記載された発光体付きヘルメットにおいて、
上記発光体は、細長状のクラッド材と、該クラッド材内に収容され且つ該クラッド材の内表面よりも屈折率の高いコア材と、で構成された光伝送部材を備えたことを特徴とする発光体付きヘルメット。
【請求項４】
請求項３に記載された発光体付きヘルメットにおいて、
上記発光体は、上記光伝送部材の少なくとも一端へ光を送る光源をさらに備えたことを特徴とする発光体付きヘルメット。
【請求項５】
ランドセル本体と、
上記ランドセル本体に設けられ、細長状に形成された可撓性の発光体と、
を備えたことを特徴とする発光体付きランドセル。
【請求項６】
腕章本体と、
上記腕章本体に設けられ、細長状に形成された可撓性の発光体と、
を備えたことを特徴とする発光体付き腕章。
【請求項７】
ストラップ本体と、
上記ストラップ本体に設けられ、細長状に形成された可撓性の発光体と、
を備えたことを特徴とする発光体付きストラップ。
【発明の詳細な説明】
【技術分野】
【０００１】
本発明は、発光体付きヘルメット、発光体付きランドセル、発光体付き腕章、及び、発光体付きストラップに関する。
【背景技術】
【０００２】
従来、作業用又は学童用等のヘルメットに、視認性を高めて安全性を向上させる目的で発光体を装着させてなる発光体付きヘルメットが研究・開発されている。
【０００３】
このような発光体付きヘルメットとして、例えば、特許文献１には、ヘルメットに複数個の透孔を穿設し、該透孔に表面を光沢反射面と成すリング状金具をカシメ固定すると共に該金具内にＬＥＤ素子を内設固定せしめ、該ＬＥＤ素子の後端から導出せるリード端子に電気接続したリード線をヘルメットの外壁に止着する電源スイッチに電気接続してなる発光装置付きヘルメットが開示されている。そして、これによれば、暗い場所に居る時に遠方の人にその場所に居ることを確実に知らしめることができる、と記載されている。
【特許文献１】特開平10-008319号公報
【発明の開示】
【発明が解決しようとする課題】
【０００４】
しかしながら、特許文献１に開示された発光装置付きヘルメットでは、視認性を高めるために、複数のＬＥＤ素子ごとに内設用の金具を設けなければならず、製造効率が低くなる。また、ヘルメット本体の形状や材質により、ＬＥＤ素子を内設するための金具の取り付け位置や取り付け個数が制限されるという問題が生じる。
【０００５】
本発明は、斯かる諸点に鑑みてなされたものであり、その目的とするところは、製造効率が良好であり、取り付け対象のヘルメット本体の形状や材質に制限されず、良好な視認性を付与することのできる発光体付きヘルメットを提供することである。
【０００６】
また、本発明の目的は、上記発光体と同様の発光体を備えることで、同様の効果を有する発光体付きランドセル、発光体付き腕章、及び、発光体付きストラップを提供することである。
【課題を解決するための手段】
【０００７】
本発明に係る発光体付きヘルメットは、ヘルメット本体と、ヘルメット本体の外周部に沿うように設けられ、細長状に形成された可撓性の発光体と、を備えたことを特徴とする。
【０００８】
このような構成によれば、ヘルメット本体の外周部に沿うように設けられ、細長状に形成された発光体を備えるため、発光領域の広い発光体をヘルメット本体に一度に取り付けることが可能となり、製造効率が良好となる。また、発光体が可撓性であるため、ヘルメット本体の形状や材質に制限されることなく、その外周に沿って容易に取り付けることができる。
【０００９】
また、本発明に係る発光体付きヘルメットは、ヘルメット本体が、その外周部に、二箇所の嵌め込み部と、少なくとも一箇所の支持部とがそれぞれ設けられていると共に、発光体が、その両端部がそれぞれ嵌め込み部に嵌め込まれ、且つ、支持部でその中央部が支持されていてもよい。
【００１０】
このような構成によれば、発光体が、その両端部がそれぞれヘルメット本体の嵌め込み部に嵌め込まれ、且つ、支持部でその中央部が支持されるため、発光体を簡易な構造によってバランス良くヘルメット本体に固定することができる。
【００１１】
さらに、本発明に係る発光体付きヘルメットは、発光体が、細長状のクラッド材と、クラッド材内に収容され且つクラッド材の内表面よりも屈折率の高いコア材と、で構成された光伝送部材を備えてもよい。
【００１２】
このような構成によれば、発光体が、細長状のクラッド材と、クラッド材内に収容され且つクラッド材の内表面よりも屈折率の高いコア材と、で構成されているため、出射光量の低下が抑制され、優れた出射特性を備えることができる。
【００１３】
また、本発明に係る発光体付きヘルメットは、発光体が、光伝送部材の少なくとも一端へ光を送る光源をさらに備えてもよい。
【００１４】
このような構成によれば、発光体が、光伝送部材の少なくとも一端へ光を送る光源をさらに備えるため、発光体に電気的に接続した光源をヘルメット本体内に装着する等により、外部光源を必要としない、コンパクトな自発光型の発光体付きヘルメットを得ることができる。
【００１５】
本発明に係る発光体付きランドセルは、ランドセル本体と、ランドセル本体に設けられ、細長状に形成された可撓性の発光体と、を備えたことを特徴とする。
【００１６】
このような構成によれば、ランドセル本体に沿うように設けられ、細長状に形成された発光体を備えるため、発光領域の広い発光体をランドセル本体に一度に取り付けることが可能となり、製造効率が良好となる。また、発光体が可撓性であるため、ランドセル本体の形状や材質に制限されることなく、容易に取り付けることができる。
【００１７】
本発明に係る発光体付き腕章は、腕章本体と、腕章本体に設けられ、細長状に形成された可撓性の発光体と、を備えたことを特徴とする。
【００１８】
このような構成によれば、腕章本体に設けられ、細長状に形成された発光体を備えるため、発光領域の広い発光体を腕章本体に一度に取り付けることが可能となり、製造効率が良好となる。また、発光体が可撓性であるため、腕章本体の形状や材質に制限されることなく、容易に取り付けることができる。
【００１９】
本発明に係る発光体付きストラップは、ストラップ本体と、ストラップ本体に設けられ、細長状に形成された可撓性の発光体と、を備えたことを特徴とする。
【００２０】
このような構成によれば、ストラップ本体に設けられ、細長状に形成された発光体を備えるため、発光領域の広い発光体をストラップ本体に一度に取り付けることが可能となり、製造効率が良好となる。また、発光体が可撓性であるため、ストラップ本体の形状や材質に制限されることなく、容易に取り付けることができる。
【発明の効果】
【００２１】
本発明によれば、製造効率が良好であり、取り付け対象のヘルメット本体の形状や材質に制限されず、良好な視認性を付与することのできる発光体付きヘルメットを提供することができる。
【００２２】
また、上記発光体と同様の発光体を備えることで、同様の効果を有する発光体付きランドセル、発光体付き腕章、及び、発光体付きストラップを提供することができる。
【発明を実施するための最良の形態】
【００２３】
（実施形態）
本発明の発光体付きヘルメット１０の実施形態について、図面を用いて詳細に説明する。なお、本発明の発光体付きヘルメット１０は、以下の例に限られず、その他の形態により形成されていてもよい。
【００２４】
（発光体付きヘルメット１０の構成）
図１は本発明の実施形態に係る発光体付きヘルメット１０の斜視図であり、図２は本発明の実施形態に係る発光体付きヘルメット１０の上面図である。
【００２５】
発光体付きヘルメット１０は、ヘルメット本体１１、発光体１２、及び、光源とコントローラ（それぞれ不図示）を備える。
【００２６】
ヘルメット本体１１は、例えば、長軸が２３ｃｍ程度で短軸が２０ｃｍ程度の楕円状の底面を有するドーム型に形成されており、その縁部に庇１３を備えている。ヘルメット本体１１は、繊維強化樹脂材等で形成されている。ヘルメット本体１１は、その内側に、発泡スチロール等の衝撃吸収層と、衝撃吸収層の内側に、着脱可能に配設された樹脂製等の頭部内装部材（それぞれ不図示）と、を備えている。ヘルメット本体１１の形状は、上述のものに限らず、フルフェイス型又はその他の形状に形成されていてもよい。
【００２７】
ヘルメット本体１１は、その外周縁部に、二箇所の嵌め込み部１４と、一箇所の支持部１５とがそれぞれ設けられている。
【００２８】
二箇所の嵌め込み部１４は、ヘルメット本体１１の中央線から左右対称となる位置にそれぞれ設けられている。嵌め込み部１４は、それぞれ樹脂製等で構成されており、内径が後述する発光体１２の外径とほぼ同じ値に形成されている。
【００２９】
支持部１５は、金具等で構成されている。支持部１５は、ヘルメット本体１１の外周縁部における二箇所の嵌め込み部１４の中間位置に固定されている。支持部１５には、発光体１２を通して固定するための孔が形成されている。支持部１５の孔は、その内径が発光体１２の外径とほぼ同じ値に形成されている。
【００３０】
支持部１５を設ける箇所は複数であってもよい。支持部１５は、樹脂で構成されていてもよい。支持部１５は、吸盤が形成されおり、この吸盤によってヘルメット本体１１に装着されていてもよい。
【００３１】
発光体１２は、細長状のクラッド材と、クラッド材内に収容されて、クラッド材の内表面よりも屈折率の高いコア材と、で構成された可撓性の光伝送部材を備えており、ヘルメット本体１１の外周縁部に沿うように設けられている。発光体１２は、その長さが、例えば４６ｃｍ程度に形成されている。発光体１２は、その両端部がそれぞれヘルメット本体１１に設けられた嵌め込み部１４に嵌め込まれ、支持部１５でその中央部が支持されている。
【００３２】
発光体１２の光伝送部材を構成するクラッド材は、例えば断面が直径６ｍｍ程度の円形に形成されている。クラッド材は、フッ化ビニリデン−テトラフルオロエチレン−ヘキサフルオロプロピレン共重合体（ＴＨＶ）、四フッ化エチレン−六フッ化プロピレン共重合体（ＦＥＰ）等のフッ素系ポリマー等を用いて構成することができる。また、コア材は、シリコーンゴム、シリコーン樹脂等のシリコーン系ポリマー等を用いて構成することができる。
【００３３】
なお、発光体１２は、ヘルメット本体１１の縁（上述の外周縁部）に限らず、それ以外の外周部に設けてもよい。また、発光体１２を構成するクラッド材及びコア材の形状は、それぞれ上述のものに限らず、取り付けるヘルメット本体１１の形状やサイズに合わせて、断面が多角形状や楕円状等に形成されていてもよい。さらに、発光体１２は、一本で構成されていなくてもよく、複数本が連なるように構成されていてもよい。
【００３４】
また、発光体１２は、ヘルメット本体１１に使用者が任意に取り外しができるように、着脱可能に構成されていてもよい。具体的には、使用者が発光体１２の両端部をそれぞれヘルメット本体１１の嵌め込み部１４に容易に嵌め込むことができ、且つ、支持部１５でその中央部を容易に固定することができる構造にしてもよい。
【００３５】
さらに、発光体１２は、上述のように、クラッド材及びコア材等を用いなくても良い。具体的には、塩化ビニール、ポリプロピレン、無機材料等を原料とする可塑性素材、又は、熱硬化性素材に発光物質を練り込み、又は塗布し、あるいは該素材にあらかじめ着色したうえで、円柱状、円筒状、又は、平板状等に加工し、これを適宜切断等することにより作製してもよい。この場合、使用目的にもよるが、例えば、円柱状に加工する際は直径０．１ｍｍ以上に、また、角柱状に加工する際は幅１ｍｍ以上に形成するのがよい。このような構成の発光体を、例えば直径６ｍｍ程度に形成し、曲げ加工等を施して光源等を設けた上で、ヘルメット本体に取り付けてもよい。
【００３６】
光源は、従来公知の発光素子、例えば、ＬＥＤ（発光ダイオード）やＬＤ（レーザダイオード）等で構成されている。光源は、ヘルメット本体１１の内壁に装着されている。光源の発光色や設置個数については、特に限定されることはなく、例えば、発光色が赤、青、緑、黄、橙、白等のＬＥＤから適宜選択したり、複数個のＬＥＤを組合せたりすることにより、様々な発色を得ることや、光量を増大させることができる。光源は、光伝送部材の両端までそれぞれ延びる光配線が設けられている。なお、光配線は、光伝送部材の一端のみに到達するように設けられていてもよい。
【００３７】
コントローラは、内部に電源を収容し、ＬＥＤに電気的に接続されている。コントローラの電源は、乾電池、充（蓄）電池、ソーラ電池等を用いることができ、さらに、ＡＣ使用可能に構成されていてもよい。コントローラは、ＬＥＤを制御する制御素子を備えている。コントローラは、ヘルメット本体１１の内壁に装着されている。
【００３８】
（発光体付きヘルメット１０の機能）
発光体付きヘルメット１０は、ヘルメット本体１１の内壁に装着されたコントローラのスイッチをＯＮにすることにより、光源に制御信号が流れる。コントローラからの制御信号により、光源はあらかじめ設定された常時発光又は点滅発光を生じる。光源からの光は、光配線を通り光伝送部材の両端へ到達する。光伝送部材の両端へ到達した光は、光伝送部材全体を通る。これによって、発光体付きヘルメット１０の外周縁部に設けられた発光体１２が発光し、外部からの発光体付きヘルメット１０及びそれを装着する人の視認性が良好となる。
【００３９】
なお、このとき、発光体１２を一本で構成し、ＬＥＤから一色の光が到達することで一色に発光させてもよく、発光体１２を２本で構成して連ねて設け、光伝送部材の各端部にそれぞれ光源から異なる色の光を送ることで、発光体１２を２色に発光させてもよい。
【００４０】
（他の実施形態１）
また、本発明に係る発光体を、図３及び図４に示すように、ランドセルに備えてもよい。
【００４１】
（発光体付きランドセル２０の構成）
図３及び図４に示した発光体付きランドセル２０は、ランドセル本体２１、かぶせカバー２２、発光体２３、及び、光源２４とコントローラ（不図示）で構成されている。
【００４２】
ランドセル本体２１は、従来のランドセル本体を任意に選択して用いることができる。
【００４３】
かぶせカバー２２は、ランドセル本体２１のかぶせ部分２５（ランドセルの表側を覆うフタの部分）を覆うように設けられている。かぶせカバー２２は、ナイロン等の樹脂材料で構成され、全体に亘り可撓性を有している。かぶせカバー２２は、ランドセルのかぶせ部分２５の形状に合わせて形成されており、例えば図３及び図４のようにランドセルのかぶせ部分２５が矩形状であれば同様に矩形状に形成される。かぶせカバー２２の縁部には、発光体２３を収容する小袋２６が設けられている。かぶせカバー２２の小袋２６は、発光体２３からの光が外部から視認できるように、例えばメッシュ状等に形成されている。
【００４４】
発光体２３は、上述の発光体付きヘルメット１０で用いたものと同様に構成されている。すなわち、発光体２３は、細長状のクラッド材と、クラッド材内に収容されて、クラッド材の内表面よりも屈折率の高いコア材と、で構成された可撓性の光伝送部材を備えている。
【００４５】
発光体２３の光伝送部材を構成するクラッド材は、例えば断面が直径６ｍｍ程度の円形に形成されている。クラッド材は、フッ化ビニリデン−テトラフルオロエチレン−ヘキサフルオロプロピレン共重合体（ＴＨＶ）、四フッ化エチレン−六フッ化プロピレン共重合体（ＦＥＰ）等のフッ素系ポリマー等を用いて構成することができる。また、コア材は、シリコーンゴム、シリコーン樹脂等のシリコーン系ポリマー等を用いて構成することができる。発光体２３を構成するクラッド材及びコア材の形状は、それぞれ上述のものに限らず、取り付けるかぶせカバー２２の形状やサイズに合わせて、断面が多角形状や楕円状等に形成されていてもよい。さらに、発光体２３は、複数本が連なるように構成されていてもよい。
【００４６】
また、発光体２３は、上述のように、クラッド材及びコア材等を用いなくても良い。具体的には、塩化ビニール、ポリプロピレン、無機材料等を原料とする可塑性素材、又は、熱硬化性素材に発光物質を練り込み、又は塗布し、あるいは該素材にあらかじめ着色したうえで、円柱状、円筒状、又は、平板状等に加工し、これを適宜切断等することにより作製してもよい。この場合、使用目的にもよるが、例えば、円柱状に加工する際は直径０．１ｍｍ以上に、また、角柱状に加工する際は幅１ｍｍ以上に形成するのがよい。このような構成の発光体を、例えば直径６ｍｍ程度に形成し、光源等を設けた上で、ランドセル本体に取り付けてもよい。
【００４７】
光源２４は、従来公知の発光素子、例えば、ＬＥＤ（発光ダイオード）やＬＤ（レーザダイオード）等で構成されている。光源２４は、発光体２３の光伝送部材の端部に設けられている。光源２４の発光色や設置個数については、特に限定されることはなく、例えば、発光色が赤、青、緑、黄、橙、白等のＬＥＤから適宜選択したり、複数個のＬＥＤを組合せたりすることにより、様々な発色を得ることや、光量を増大させることができる。
【００４８】
コントローラは、内部に電源を収容し、ＬＥＤに電気的に接続されている。コントローラの電源は、乾電池、充（蓄）電池、ソーラ電池等を用いることができ、さらに、ＡＣ使用可能に構成されていてもよい。コントローラは、ＬＥＤを制御する制御素子を備えている。コントローラは、かぶせカバー２２表面に装着されているが、かぶせカバー２２内部に収容されていてもよい。
【００４９】
なお、図５に示す発光体付きランドセル３０のように、発光体３３は、かぶせカバーを用いずに、ランドセル本体３１のかぶせ部分３２に直接接合されて設けられていてもよい。また、図５に示すように、発光体３３は、肩ベルト部分３４に沿って設けてもよい。
【００５０】
（発光体付きランドセル２０の機能）
発光体付きランドセル２０は、かぶせカバー２２表面に装着されたコントローラのスイッチをＯＮにすることにより、光源２４に制御信号が流れる。コントローラからの制御信号により、光源２４はあらかじめ設定された常時発光又は点滅発光を生じる。光源２４からの光は光伝送部材の端部から光伝送部材全体を通る。これによって、かぶせカバー２２の縁部に設けられた発光体２３が発光し、外部からの発光体付きランドセル２０及びそれを背負う学童の視認性が良好となる。
【００５１】
なお、このとき、かぶせカバー２２の縁部に設ける発光体２３を、ＬＥＤから一色の光を到達させることで全て一色に発光させてもよく、発光体２３の光伝送部材の各端部にそれぞれ光源２４から異なる色の光を送ることで、発光体２３を２色又はそれ以上の色に発光させてもよい。
【００５２】
（他の実施形態２）
さらに、本発明に係る発光体を、図６に示すように、腕章に備えてもよい。
【００５３】
（発光体付き腕章４０の構成）
図６に示した発光体付き腕章４０は、腕章本体４１、発光体４２、及び、光源とコントローラ（それぞれ不図示）で構成されている。
【００５４】
腕章本体４１は、例えばナイロン等の樹脂材料で構成されている。腕章本体４１の表面には、周方向に沿うように、発光体４２を収容する小袋４３が２箇所設けられている。腕章本体４１の小袋４３は、発光体４２からの光が外部から視認できるように、例えばメッシュ状等に形成されている。
【００５５】
発光体４２は、上述の発光体付きヘルメット１０で用いたものと同様に構成されている。すなわち、発光体４２は、細長状のクラッド材と、クラッド材内に収容されて、クラッド材の内表面よりも屈折率の高いコア材と、で構成された可撓性の光伝送部材を備えている。
【００５６】
発光体４２の光伝送部材を構成するクラッド材は、例えば断面が直径６ｍｍ程度の円形に形成されている。クラッド材は、フッ化ビニリデン−テトラフルオロエチレン−ヘキサフルオロプロピレン共重合体（ＴＨＶ）、四フッ化エチレン−六フッ化プロピレン共重合体（ＦＥＰ）等のフッ素系ポリマー等を用いて構成することができる。また、コア材は、シリコーンゴム、シリコーン樹脂等のシリコーン系ポリマー等を用いて構成することができる。発光体４２を構成するクラッド材及びコア材の形状は、それぞれ上述のものに限らず、取り付ける腕章本体４１の形状やサイズに合わせて、断面が多角形状や楕円状等に形成されていてもよい。さらに、発光体４２は、複数本が連なるように構成されていてもよい。また、上記実施形態では、発光体４２は小袋４３内に取り外し可能に収容されているが、これに限らない。例えば、発光体４２は、腕章本体４１の小袋４３内を用いずに、腕章本体４１表面に直接接合されて設けられていてもよい。また、発光体４２は、腕章本体４１表面に、１箇所、又は、３箇所以上設けてもよい。
【００５７】
また、発光体４２は、上述のように、クラッド材及びコア材等を用いなくても良い。具体的には、塩化ビニール、ポリプロピレン、無機材料等を原料とする可塑性素材、又は、熱硬化性素材に発光物質を練り込み、又は塗布し、あるいは該素材にあらかじめ着色したうえで、円柱状、円筒状、又は、平板状等に加工し、これを適宜切断等することにより作製してもよい。この場合、使用目的にもよるが、例えば、円柱状に加工する際は直径０．１ｍｍ以上に、また、角柱状に加工する際は幅１ｍｍ以上に形成するのがよい。このような構成の発光体を、例えば直径６ｍｍ程度に形成し、光源等を設けた上で、腕章本体に取り付けてもよい。
【００５８】
光源は、従来公知の発光素子、例えば、ＬＥＤ（発光ダイオード）やＬＤ（レーザダイオード）等で構成されている。光源は、発光体４２の光伝送部材の端部に設けられている。光源の発光色や設置個数については、特に限定されることはなく、例えば、発光色が赤、青、緑、黄、橙、白等のＬＥＤから適宜選択したり、複数個のＬＥＤを組合せたりすることにより、様々な発色を得ることや、光量を増大させることができる。
【００５９】
コントローラは、内部に電源を収容し、ＬＥＤに電気的に接続されている。コントローラの電源は、乾電池、充（蓄）電池、ソーラ電池等を用いることができ、さらに、ＡＣ使用可能に構成されていてもよい。コントローラは、ＬＥＤを制御する制御素子を備えている。コントローラは、腕章本体４１表面に装着されているが、腕章本体４１内部に収容されていてもよい。
【００６０】
（発光体付き腕章４０の機能）
発光体付き腕章４０は、腕章本体４１表面に装着されたされたコントローラのスイッチをＯＮにすることにより、光源に制御信号が流れる。コントローラからの制御信号により、光源はあらかじめ設定された常時発光又は点滅発光を生じる。光源からの光は光伝送部材の端部から光伝送部材全体を通る。これによって、腕章本体４１の小袋４３に設けられた発光体４２が発光し、外部からの発光体付き腕章４０及びそれを装着する人の視認性が良好となる。
【００６１】
なお、このとき、腕章本体４１の小袋４３に設ける発光体４２を、ＬＥＤから一色の光を到達させることで全て一色に発光させてもよく、発光体４２の光伝送部材の各端部にそれぞれ光源から異なる色の光を送ることで、発光体４２を２色又はそれ以上の色に発光させてもよい。
【００６２】
（他の実施形態３）
また、本発明に係る発光体を、図７に示すように、ストラップに備えてもよい。
【００６３】
（発光体付きストラップ５０の構成）
図７に示した発光体付きストラップ５０は、ストラップ本体５１、発光体５２、及び、光源とコントローラ（それぞれ不図示）で構成されている。ここで、図７において本実施形態の発光体付きストラップ５０をかばん５３の肩掛けとして用いたものを例示するが、これに限らず、発光体付きストラップ５０は、ギター等の楽器、携帯ゲーム機、又は、カメラ等を肩から吊す提げ紐や、車両のシートベルトとして用いることも可能である。
【００６４】
ストラップ本体５１は、例えばナイロン等の樹脂材料で構成されている。ストラップ本体５１の表面には、ストラップ本体５１に沿うように、発光体５２が３体、連なるように設けられている。
【００６５】
発光体５２は、上述の発光体付きヘルメット１０で用いたものと同様に構成されている。すなわち、発光体５２は、細長状のクラッド材と、クラッド材内に収容されて、クラッド材の内表面よりも屈折率の高いコア材と、で構成された可撓性の光伝送部材を備えている。
【００６６】
発光体５２の光伝送部材を構成するクラッド材は、例えば断面が直径６ｍｍ程度の円形に形成されている。クラッド材は、フッ化ビニリデン−テトラフルオロエチレン−ヘキサフルオロプロピレン共重合体（ＴＨＶ）、四フッ化エチレン−六フッ化プロピレン共重合体（ＦＥＰ）等のフッ素系ポリマー等を用いて構成することができる。また、コア材は、シリコーンゴム、シリコーン樹脂等のシリコーン系ポリマー等を用いて構成することができる。発光体５２を構成するクラッド材及びコア材の形状は、それぞれ上述のものに限らず、取り付けるストラップ本体５１の形状やサイズに合わせて、断面が多角形状や楕円状等に形成されていてもよい。さらに、発光体５２は、複数本が連なるように構成されていてもよい。また、発光体５２は、ストラップ本体５１表面に直接接合されていなくてもよく、ストラップ本体５１表面に小袋を設け、その小袋内に取り外し可能に設けてもよい。
【００６７】
また、発光体５２は、上述のように、クラッド材及びコア材等を用いなくても良い。具体的には、塩化ビニール、ポリプロピレン、無機材料等を原料とする可塑性素材、又は、熱硬化性素材に発光物質を練り込み、又は塗布し、あるいは該素材にあらかじめ着色したうえで、円柱状、円筒状、又は、平板状等に加工し、これを適宜切断等することにより作製してもよい。この場合、使用目的にもよるが、例えば、円柱状に加工する際は直径０．１ｍｍ以上に、また、角柱状に加工する際は幅１ｍｍ以上に形成するのがよい。このような構成の発光体を、例えば直径６ｍｍ程度に形成し、光源等を設けた上で、ストラップ本体に取り付けてもよい。
【００６８】
光源は、従来公知の発光素子、例えば、ＬＥＤ（発光ダイオード）やＬＤ（レーザダイオード）等で構成されている。光源は、発光体５２の光伝送部材の端部に設けられている。光源の発光色や設置個数については、特に限定されることはなく、例えば、発光色が赤、青、緑、黄、橙、白等のＬＥＤから適宜選択したり、複数個のＬＥＤを組合せたりすることにより、様々な発色を得ることや、光量を増大させることができる。
【００６９】
コントローラは、内部に電源を収容し、ＬＥＤに電気的に接続されている。コントローラの電源は、乾電池、充（蓄）電池、ソーラ電池等を用いることができ、さらに、ＡＣ使用可能に構成されていてもよい。コントローラは、ＬＥＤを制御する制御素子を備えている。コントローラは、ストラップ本体５１表面に装着されているが、ストラップ本体５１内部に収容されていてもよい。
【００７０】
（発光体付きストラップ５０の機能）
発光体付きストラップ５０は、ストラップ本体５１表面に装着されたコントローラのスイッチをＯＮにすることにより、光源に制御信号が流れる。コントローラからの制御信号により、光源はあらかじめ設定された常時発光又は点滅発光を生じる。光源からの光は光伝送部材の端部から光伝送部材全体を通る。これによって、ストラップ本体５１の表面に設けられた発光体５２が発光し、外部からの発光体付きストラップ５０、それを備えたかばん５３、及び、それを持つ人の視認性が良好となる。
【００７１】
なお、このとき、ストラップ本体５１の表面に設ける発光体５２を、ＬＥＤから一色の光を到達させることで全て一色に発光させてもよく、発光体５２の光伝送部材の各端部にそれぞれ光源から異なる色の光を送ることで、発光体５２を２色又はそれ以上の色に発光させてもよい。
【産業上の利用可能性】
【００７２】
以上説明したように、本発明は、発光体付きヘルメット、発光体付きランドセル、発光体付き腕章、及び、発光体付きストラップについて有用である。
【図面の簡単な説明】
【００７３】
【図１】本発明の実施形態に係る発光体付きヘルメット１０の斜視図を示す。
【図２】本発明の実施形態に係る発光体付きヘルメット１０の上面図を示す。
【図３】本発明の他の実施形態１に係る発光体付きランドセル２０の分解斜視図を示す。
【図４】本発明の他の実施形態１に係る発光体付きランドセル２０の斜視図を示す。
【図５】本発明の他の実施形態１に係る発光体付きランドセル３０の斜視図を示す。
【図６】本発明の他の実施形態２に係る発光体付き腕章４０の斜視図を示す。
【図７】本発明の他の実施形態３に係る発光体付きストラップ５０の斜視図を示す。
【符号の説明】
【００７４】
１０      ヘルメット
１１      ヘルメット本体
１２，２３，３３，４２，５２      発光体
１４      嵌め込み部
１５      支持部
２０，３０      ランドセル
２１，３１      ランドセル本体
２４      光源
４０      腕章
４１      腕章本体
５０      ストラップ
５１      ストラップ本体
【図１】
2009013538.tif 000003
【図２】
2009013538.tif 000004
【図３】
2009013538.tif 000005
【図４】
2009013538.tif 000006
【図５】
2009013538.tif 000007
【図６】
2009013538.tif 000008
【図７】
2009013538.tif 000009